(57)【要約】【課題】  外部から電源が供給され、当該電源が分配されることにより動作する電子部品が実装されるプリント基板であって、電源を分配する電源ラインの配線パターンのパターン面積の削減が図られたプリント基板の提供。【解決手段】  デジタル回路部３０への電源供給を行うためのケーブルが接続されるコネクタ２３を制御基板１２の中央付近に設け、当該コネクタ２３の周辺に各電子部品（ＩＣ２７）を設けることにより、各電子部品への電源ラインの配線パターン３２のパターン面積を削減する。【選択図】  図１
2006093378.tif 000002
【特許請求の範囲】
【請求項１】
外部から電源が供給され、当該電源が分配されることにより動作する電子部品が実装されるプリント基板であって、前記外部から供給される電源の接続部が、当該プリント基板の中央付近に形成され、その周囲に前記電子部品が実装されたことを特徴とするプリント基板。
【請求項２】
前記プリント基板が、アナログ回路とデジタル回路とが実装されるプリント基板であって、前記電源接続部が、前記デジタル回路へ電源を供給するための電源ラインを備えるケーブルを接続するための接続部であり、前記接続部の周囲に実装される電子部品が、前記デジタル回路を構成する電子部品であることを特徴とする請求項１記載のプリント基板。
【請求項３】
前記アナログ回路の基準電位となるアナロググランドラインと、前記デジタル回路の基準電位となるデジタルグランドラインと、が電気的に絶縁されていることを特徴とする請求項２記載のプリント基板。
【請求項４】
前記アナロググランドの配線パターンが、前記プリント基板の外周に沿って形成され、前記デジタルグランドの配線パターンが、前記デジタル回路を囲うように形成されたことを特徴とする請求項３記載のプリント基板。
【請求項５】
請求項１乃至請求項４の何れか1つに記載のプリント基板を備えたことを特徴とする電子装置。
【発明の詳細な説明】
【技術分野】
【０００１】
本発明は、プリント基板への電源入力を行う電源ケーブルが接続される接続部の配置位置について考慮されたプリント基板に関する。
【背景技術】
【０００２】
近年の電子装置は、その構成として、アナログ回路とデジタル回路との双方を備えるものがほとんどであり、一枚のプリント基板上にアナログ回路とデジタル回路の双方が実装されているものも多数存在する。デジタル信号は、符号化された信号であるため、信号波形に多少の歪みが生じても、元の信号を再現することが可能であるが、アナログ信号にはデジタル信号のような再現性はなく、そういう意味でノイズに対して弱いものである。従って、アナログ回路に対するノイズの影響を可能な限り低減させる必要があり、特に一枚のプリント基板上にアナログ回路とデジタル回路の双方が実装される場合には、デジタル回路がノイズを発生し易いものであるため、ノイズについてより考慮する必要がある。
【０００３】
このようなアナログ回路とデジタル回路との双方を備えるプリント基板において、ノイズの影響を低減させるための従来技術が特許文献１などによって開示されている。
【０００４】
【特許文献１】特開２００１−２８４８２８号公報
【発明の開示】
【発明が解決しようとする課題】
【０００５】
プリント基板は、電気・電子回路を備えるものであるため、当然に電源が供給されて動作するものであるが、従来のプリント基板では、電源ケーブルが接続される接続部が基板の周辺部分に形成されており、特に他の基板（例えば電源基板など）から電源ケーブルを介して電源供給を受けるプリント基板では、当該電源ケーブルが接続されるコネクタが基板の外周に接するような位置に設けられていた。このように電源ケーブルコネクタが基板の外周部分に設けられている構成であると、電源ケーブルコネクタの近傍部分となるプリント基板の面積も限られたものとなるため、電源ケーブルコネクタの近傍に設けることができる電子部品（当該電源ケーブルコネクタから供給される電力を受ける電子部品）には限りがある。従って、電源ケーブルコネクタと電子部品とが離隔して配置され、電源ケーブルコネクタから電子部品までの電源ラインの配線パターンが長くなってしまう場合があった。電源ラインの配線パターンが長くなると、当該電源配線パターンが占める面積も増加し、基板の集積度が低下してしまうと共に、パターン設計の自由度も低下するものであった（当該問題は、電源配線パターンに流れる電流が大きい場合、回路パターンも太く形成されるようになるため、より顕著となる）。
【０００６】
また、前記した電源ケーブルが、デジタル回路へ電力を供給するためのものであり、前記した電子部品がＩＣなどのデジタル電子部品である場合には、デジタル電源ライン（ＩＣへの電源供給ラインの配線パターン）のノイズを完全に除去することは困難であるため（デジタル電子部品から生じるノイズが電源ラインの配線パターンにどうしても乗ってしまうため）、当該（ノイズが乗った）電源ラインの配線パターンが長くなる（基板上に占める面積が増加する）と、当該デジタル回路が実装されるプリント基板上に形成されているアナログ回路へのノイズの影響が増大してしまう問題があった。さらに、デジタル回路においても、各種制御信号として、電源電圧を使用する場合があるため、電源ラインにノイズがのり、電源電圧に揺らぎが生じると、各種制御に誤動作を生じるおそれがあるという問題があった。
【０００７】
本発明は、上述した点に鑑み、外部から電源が供給され、当該電源が分配されることにより動作する電子部品が実装されるプリント基板であって、電源を分配する電源ラインの配線パターンのパターン面積の削減が図られたプリント基板を提供することを目的とする。
【課題を解決するための手段】
【０００８】
請求項１のプリント基板は、外部から電源が供給され、当該電源が分配されることにより動作する電子部品が実装されるプリント基板であって、前記外部から供給される電源の接続部が、当該プリント基板の中央付近に形成され、その周囲に前記電子部品が実装されたことを特徴とする。
【０００９】
上記構成によれば、電源ケーブルの接続部がプリント基板の中央付近に形成されるため、当該接続部の周辺の基板面積が大きく、接続部の近傍に、当該接続部を介して電源供給を受ける電子部品をより多く配置することができる。
【００１０】
請求項２のプリント基板は、請求項１記載のプリント基板であって、前記プリント基板が、アナログ回路とデジタル回路とが実装されるプリント基板であって、前記電源接続部が、前記デジタル回路へ電源を供給するための電源ラインを備えるケーブルを接続するための接続部であり、前記接続部の周囲に実装される電子部品が、前記デジタル回路を構成する電子部品であることを特徴とする。
【００１１】
上記構成によれば、デジタル回路へ電源を供給するための電源ラインを備えるケーブルを接続するための接続部の周辺にデジタル回路を構成する電子部品（例えばＩＣ）が配置され、接続部と電子部品との間の電源ラインの配線パターンが可及的に短縮される。
【００１２】
請求項３のプリント基板は、請求項２記載のプリント基板であって、前記アナログ回路の基準電位となるアナロググランドラインと、前記デジタル回路の基準電位となるデジタルグランドラインと、が電気的に絶縁されていることを特徴とする。
【００１３】
上記構成によれば、アナロググランドラインとデジタルグランドラインとが電気的に絶縁されているため、両者の相互干渉が防止される。
【００１４】
請求項４のプリント基板は、請求項３記載のプリント基板であって、前記アナロググランドの配線パターンが、前記プリント基板の外周に沿って形成され、前記デジタルグランドの配線パターンが、前記デジタル回路を囲うように形成されたことを特徴とする。
【００１５】
上記構成によれば、デジタル回路がグランドパターンによって周囲を囲まれ、当該デジタルグランドの配線パターンとは電気的に絶縁されたアナロググランドの配線パターンが、プリント基板の外周に沿って形成される。
【００１６】
請求項５の電子装置は、請求項１乃至請求項４の何れか1つに記載のプリント基板を備えたことを特徴とする。
【発明の効果】
【００１７】
請求項１の、外部から電源が供給され、当該電源が分配されることにより動作する電子部品が実装されるプリント基板であって、前記外部から供給される電源の接続部が、当該プリント基板の中央付近に形成され、その周囲に前記電子部品が実装されたことを特徴とするプリント基板によれば、電源ケーブルの接続部がプリント基板の中央付近に形成され、当該接続部の周辺の基板面積が大きく、接続部の近傍に電子部品をより多く配置することができるため、接続部と電子部品との間の電源ラインの配線パターンが可及的に短縮される。従って、基板の集積度を上げることができると共に、パターン設計の自由度も向上される。
【００１８】
請求項２の、前記プリント基板が、アナログ回路とデジタル回路とが実装されるプリント基板であって、前記電源接続部が、前記デジタル回路へ電源を供給するための電源ラインを備えるケーブルを接続するための接続部であり、前記接続部の周囲に実装される電子部品が、前記デジタル回路を構成する電子部品であることを特徴とする請求項１記載のプリント基板によれば、電源接続部とデジタル電子部品との間の電源ラインの配線パターン（どうしてもノイズが乗り易くなってしまう回路パターン）が可及的に短縮されるため、アナログ回路へのノイズの影響を低減することができる。また、電源ラインの配線パターンが短縮されることにより、当該電源ラインの配線パターン自体へのノイズの影響も低減されるため、例えば、電源電圧を制御信号として使用して動作するマイコンに誤作動が生じることも防止される。
【００１９】
請求項４の、前記アナロググランドの配線パターンが、前記プリント基板の外周に沿って形成され、前記デジタルグランドの配線パターンが、前記デジタル回路を囲うように形成されたことを特徴とする請求項３記載のプリント基板によれば、シールド効果を有するグランドパターンによって、デジタル回路が周囲を囲まれるため、デジタル回路から外部へのノイズの影響を低減させることができる。また、当該デジタルグランドの配線パターンとは電気的に絶縁されたアナロググランドの配線パターンが、プリント基板の外周に沿って形成されるため、アナロググランドの配線パターンとデジタルグランドの配線パターンとの相互のノイズ混入などが防止され、ノイズの影響を低減させることができる。
【発明を実施するための最良の形態】
【００２０】
以下、本発明の具体的実施例について、図面を参照しながら説明する。なお、以下の実施態様は、本発明を具体化する際の一形態であって、本発明をその範囲内に限定するためのものではない。
【００２１】
図１は本実施例のＤＶＤ／ＨＤＤ一体型の記録再生装置に備えられるプリント基板の概略を示す平面図であり、図２は同斜視図である。図３は、ＤＶＤ／ＨＤＤ一体型の記録再生装置の天板を外した状態を示す斜視図である。
【００２２】
図３に示されるように、本実施例の電子装置である記録再生装置１は、光ディスク媒体からの信号の読込み若しくは書き込みを行うディスク装置１１と、内蔵する磁気ディスクに信号の書き込み若しくは信号の読込みを行うハードディスクドライブ（以下単にＨＤＤ）１３とを備え、さらに、前記ディスク装置１１・ＨＤＤ１３から入出力される信号の処理を行う制御基板１２（ＭＰＥＧ方式の圧縮・解凍処理をも行う基板であり、ＭＰＥＧ基板などとも呼ばれる）と、外部入出力部からの信号の処理を行う信号処理部や装置全体の制御処理を行う制御部や電源部などを備えるメイン基板１４と、を備える。
【００２３】
制御基板１２は、図１及び図２に示されるように、外部との入出力端子であるコネクタ２１〜２６や、各種ＩＣ２７・２８、及び、コンデンサ２９などの電子部品が実装されて構成される。なお、図では視覚的に分かり易い部品のみを記載し、簡略化しているが、制御基板１２は実際には各種チップ部品などの多種多様な電気・電子部品が実装されてなるものである。なお、本実施例の制御基板１２に実装されるコンデンサ２９は、実装される全てのコンデンサの極性方向が、基板上で統一されており、部品実装時の作業時間短縮と、実装部品確認作業の効率の向上が図られている。
【００２４】
制御基板１２は、メイン基板１４から入出力される各種アナログ信号（映像・音声信号など）の処理を行うアナログ回路部３１と、ディスク装置１１やＨＤＤ１３から入出力される各種デジタル信号（映像・音声信号など）の処理を行うデジタル回路部３０と、を備え、メイン基板１４から制御基板１２のアナログ回路部３１への信号の入出力及び電源の供給は、コネクタ２４〜コネクタ２６によって接続されるフラットケーブルによって行われる。一方、デジタル回路部３０への電源供給は、メイン基板１４の電源部に接続されるフラットケーブル１５によって、コネクタ２３を介して行われ、ディスク装置１１やＨＤＤ１３からのデジタル信号の入出力はコネクタ２１とコネクタ２２とに接続されるケーブルによってなされる。デジタル回路部３０への電源供給を行うフラットケーブル１５が接続されるコネクタ２３は、制御基板１２の中央部付近となる場所に設けられ、当該コネクタ２３の周囲（近傍となる部分）に、デジタル回路を構成する電子部品であって、その動作のために電源が必要な電子部品であるＩＣ２７が実装される。これにより、コネクタ２３から各ＩＣ２７へのデジタル電源ラインの配線パターン３２の長さが可及的に短縮・簡素化される。なお、「基板の中央付近にコネクタ２３を設ける」とは、「コネクタ２３の周囲に電子部品を実装できる（コネクタ２３の周辺の基板面積が大きくなる）ように、コネクタ２３を基板の周辺部分には設けない」という趣旨であり、例えば、外形寸法の短手方向の長さが１０ｍｍの電気・電子部品（例えばＩＣや、信号系接続コネクタなど）をコネクタ２３の周囲に配置できるようにするのであれば、「基板の中央部分」とは、「基板の外形端から１５ｍｍ（基板端部の自動挿入部品禁止領域（５ｍｍ）を考慮した上で、１０ｍｍの幅の電子部品を配置できる幅）以上内側となる部分」となり、デジタルＩＣの平均的寸法である３０ｍｍ×３０ｍｍの電子部品を配置できるようにするのであれば、「基板の中央部分」とは、「基板の外形端から３５ｍｍ以上内側となる部分」となる。
【００２５】
また、デジタル回路部３０は、フラットケーブル１５によってメイン基板１４の基準電位（グランド）と接続されるデジタルグランドの配線パターン３４に囲まれるように形成される。一方、コネクタ２４を介してメイン基板１４の基準電位と接続されるアナロググランドの配線パターン３３は、制御基板１２の外周に沿って形成され、制御基板１２上では、デジタルグランドの配線パターン３４とアナロググランドの配線パターン３３とは電気的に絶縁されて形成される。
【００２６】
図４には、従来のプリント基板（制御基板）４０の概略平面図を示した。図４に示されるように従来のプリント基板４０では、外部からの電源の入力部であるコネクタ４１が基板の外周部分に形成されていたため、当該コネクタ４１周辺の基板面積が小さく、各ＩＣ２７をコネクタ４１の近傍部分に配置することが難しく、コネクタ４１から各ＩＣ２７への電源ラインの配線パターン４２の長さが長いものとなりがちであったが、本実施例によれば、コネクタ２３が制御基板１２の中央付近に形成され、当該コネクタ２３の周辺の基板面積が大きく、コネクタ２３の近傍に電子部品をより多く配置することができるため、コネクタ２３と電子部品との間のデジタル電源ラインの配線パターン３２が可及的に短縮される。従って、当該デジタル電源ラインの配線パターン３２に対するノイズの影響を軽減できると共に、当該電源ラインの電流経路が作るループ面積を小さくすることができ、且つデジタル電源ラインの配線パターン３２とアナログ回路部３１との近接部分も減少させることができるため、アナログ回路部３１へのノイズの影響も軽減される。
【００２７】
また、本実施例の制御基板１２では、シールド効果を有するグランドパターン（デジタルグランドの配線パターン３４）によって、デジタル回路部３０が周囲を囲まれるため、デジタル回路部３０から外部へのノイズの影響を低減させることができる。また、当該デジタルグランドの配線パターン３４とは電気的に絶縁されたアナロググランドの配線パターン３３が、制御基板１２の外周に沿って形成されるため、アナロググランドの配線パターン３３とデジタルグランドの配線パターン３４との相互のノイズ混入などが防止され、ノイズの影響を低減させることができる。
【００２８】
なお、本実施例では、基板中央付近に配置するコネクタをデジタル回路への電源ケーブルが接続されるコネクタとしているが、本発明をこれに限るものではなく、例えば、アナログ回路への電源ケーブルが接続されるコネクタであってもよい。
【図面の簡単な説明】
【００２９】
【図１】プリント基板の概略を示す平面図
【図２】プリント基板の概略を示す斜視図
【図３】ＤＶＤ／ＨＤＤ一体型の記録再生装置の天板を外した状態を示す斜視図
【図４】従来のプリント基板の概略を示す平面図
【符号の説明】
【００３０】
１      記録再生装置
１２    制御基板（プリント基板）
２３    コネクタ（電源接続部）
２７    ＩＣ（電子部品）
３０    デジタル回路部
３１    アナログ回路部
３２    デジタル電源ラインの配線パターン
３３    アナロググランドの配線パターン
３４    デジタルグランドの配線パターン
【図１】
2006093378.tif 000003
【図２】
2006093378.tif 000004
【図３】
2006093378.tif 000005
【図４】
2006093378.tif 000006